(57)【特許請求の範囲】
【請求項１】
戸パネル（２）に埋設される軸受ユニット（１２）と、軸受ユニット（１２）を軸支するピボット軸（１１）とを備えているピボットヒンジであって、
軸受ユニット（１２）は、ピボット軸（１１）に対する戸パネル（２）の左右位置を調整する左右調整構造と、ピボット軸（１１）に対する戸パネル（２）の前後位置を調整する前後調整構造と、これらの調整構造を収容する軸受ハウジング（１４）とを含み、
左右調整構造は、軸受ハウジング（１４）で左右移動可能に支持される左右調整ブロック（２６）と、左右調整ブロック（２６）をねじ構造を介して左右へ調整操作する左右調整体（２８）を含み、
前後調整構造は、軸受ハウジング（１４）で前後移動可能に支持される前後調整ブロック（３４）と、前後調整ブロック（３４）をカム構造を介して前後へ調整操作する前後調整体（３５）とを含み、
左右調整体（２８）および前後調整体（３５）を回転操作して、左右調整ブロック（２６）および前後調整ブロック（３４）を調整移動でき、
軸受ハウジング（１４）が、前後に分割した前ハウジング（１４ａ）と後ハウジング（１４ｂ）とで構成されており、
前ハウジング（１４ａ）と後ハウジング（１４ｂ）の接合面の間に、左右調整ブロック（２６）と前後調整ブロック（３４）を収容する調整室（１７）が設けられており、
左右調整ブロック（２６）と前後調整ブロック（３４）とが、調整室（１７）の内部に上下に隣接する状態で配置されて、それぞれの軸受穴（２９・３６）がピボット軸（１１）に嵌合してあるピボットヒンジ。
【請求項２】
戸パネル（２）の装着凹部（２０）にホルダー（２１）が固定されており、
軸受ハウジング（１４）をホルダー（２１）に係合連結して、軸受ユニット（１２）が戸パネル（２）と一体化してある請求項１に記載のピボットヒンジ。
【請求項３】
左右調整構造のねじ構造が、左右調整体（２８）に設けたねじ軸（３３）と、左右調整ブロック（２６）に組み付けた雌ねじ体（２７）とで構成されており、
前後調整構造のカム構造が、前後調整体（３５）に設けた偏心ピン（４４）と、前後調整ブロック（３４）に設けた上下方向の長穴からなる受動穴（３７）とで構成してある請求項１または２に記載のピボットヒンジ。
【請求項４】
折り畳み自在に連結した複数個の戸パネル（１・２）が、ランナー（６）と上ピボット軸（７１）とで吊持されており、
戸パネル（２）の上隅に、上ピボット軸（７１）で軸支される軸受ユニット（７２）が埋設されており、
軸受ユニット（７２）に、上ピボット軸（７１）に対する戸パネル（２）の上下位置を調整する高さ調整構造が設けてある請求項１から３のいずれかひとつに記載のピボットヒンジ。
【請求項５】
ホルダー（２１）と軸受ハウジング（１４）との間に、ホルダー（２１）に連結した軸受ハウジング（１４）を分離不能にロック固定するロック構造が設けられており、
ロック構造が、軸受ハウジング（１４）に揺動可能に軸支したロックレバー（５２）と、ロックレバー（５２）をロック付勢するロックばね（５４）と、ホルダー（２１）の前後壁に設けたロック溝（５５）を含み、
軸受ハウジング（１４）をホルダー（２１）に係合連結した状態において、ロックレバー（５２）のロック爪（５８）がロック溝（５５）に落ち込み係合して、軸受ハウジング（１４）をロック固定できる請求項１から４のいずれかひとつに記載のピボットヒンジ。
【請求項６】
軸受ハウジング（１４）の内部に、前後調整体（３５）用のクリック構造が設けられており、
クリック構造が、前後調整体（３５）に設けた断面が正多角形状のクリック軸（４２）と、クリック軸（４２）の辺部を受け止めるばね体（４７）とで構成してある請求項１から５のいずれかひとつに記載のピボットヒンジ。  
【発明の詳細な説明】
【技術分野】
【０００１】
本発明は、折戸、揺動ドア、あるいは折り畳みドアなどの戸パネルを軸支するピボットヒンジ、なかでもピボット軸で軸支される軸受ユニットが戸パネルに埋設してある形態のピボットヒンジに関する。軸受ユニットには、戸パネルの左右位置と前後位置を調整する調整機構が組み込んである。
【背景技術】
【０００２】
前後調整機能と左右調整機能とを備えたピボットヒンジは、たとえば特許文献１に公知である。そこでは、床面に固定される扁平なケースと、ピボット軸を軸支する軸受プレートと、軸受プレートを左右に位置調整する第１調整ボルトと、軸受プレートを前後に位置調整する第２調整ボルトなどでピボットヒンジを構成している。第１調整ボルトと第２調整ボルトを調整することにより、戸パネルに固定したピボット軸の中心を調整することができる。
【０００３】
上記のピボットヒンジにおいては、ピボット軸を除くピボットヒンジを床面に装着するので、戸パネルを開閉するときケースや調整ボルトが露出し、バリアフリーに適合できないうえ外観上の体裁が損なわれる。また、各調整ボルトをケースの調整溝に沿って移動させて位置調整を行なうので微量調整が難しく、一連の調整作業に手間が掛かる。ケースと調整ボルトの合計高さに見合う隙間を戸パネルと床面の間に確保する必要があるので、先の隙間から音や光が漏れやすい不利もある。
【０００４】
本発明に関して、戸パネルに埋設した軸受ユニットをピボット軸で軸支することは特許文献２に公知である。そこでは、戸パネルに埋設されるケースと、ケースで左右および前後へ移動可能に支持される保持部材と、保持部材を左右に移動操作する調整ねじと、ロックねじなどで軸受ユニットを構成している。ピボット軸は、開口枠に固定したＬ字状のブラケットで固定支持されて保持部材を軸支しており、調整ねじを回転操作して保持部材を左右へ移動させることにより、戸パネルのピボット軸に対する左右位置を調整できる。また、保持部材および調整ねじをケースに設けた前後方向の長穴に沿って移動させることにより、戸パネルのピボット軸に対する前後位置を調整できる。
【先行技術文献】
【特許文献】
【０００５】
【特許文献１】特開２００３−０２０８４９号公報（段落番号００２２、図５）
【特許文献２】特開２００６−２５７８６１号公報（段落番号００３６、図８）
【発明の概要】
【発明が解決しようとする課題】
【０００６】
特許文献２のピボットヒンジによれば、軸受ユニットを戸パネルに埋設するので、バリアフリーに適合できるうえ、外観上の体裁を向上できる。また、調整ねじを回転操作することにより戸パネルのピボット軸に対する左右位置を調整でき、調整ねじのねじ込み量を加減することで微量調整を行なうこともできる。しかし、前後調整を行なう場合には、保持部材および調整ねじを長穴に沿って移動させる必要があるので、特許文献１のピボットヒンジと同様に微量調整が難しく、さらに前後調整に手間が掛かる。また、戸パネルに埋設されるケースを、横向きのねじと縦向きのねじとで戸パネルの装着凹部に直接締結するので、軸受ユニットの着脱に多くの手間が掛かり、折戸や揺動ドア等の施工やメンテナンスに手間と時間が掛かる。
【０００７】
本発明の目的は、左右調整機構と前後調整機構の両者を、回転操作される左右調整体および前後調整体で調整操作でき、さらに微量調整を可能として、戸パネルの左右調整および前後調整を簡便にしかも正確に行なえるピボットヒンジを提供することにある。
本発明の目的は、折戸や揺動ドアの施工やメンテナンスを、より少ない手間で迅速に行なうことができるピボットヒンジを提供することにある。
【課題を解決するための手段】
【０００８】
本発明に係るピボットヒンジは、図１に示すように、戸パネル２に埋設される軸受ユニット１２と、軸受ユニット１２を軸支するピボット軸１１とを備えている。軸受ユニット１２は、ピボット軸１１に対する戸パネル２の左右位置を調整する左右調整構造と、ピボット軸１１に対する戸パネル２の前後位置を調整する前後調整構造と、これらの調整構造を収容する軸受ハウジング１４とを含む。左右調整構造は、軸受ハウジング１４で左右移動可能に支持される左右調整ブロック２６と、左右調整ブロック２６をねじ構造を介して左右へ調整操作する左右調整体２８を含む。前後調整構造は、軸受ハウジング１４で前後移動可能に支持される前後調整ブロック３４と、前後調整ブロック３４をカム構造を介して前後へ調整操作する前後調整体３５とを含む。左右調整体２８および前後調整体３５を回転操作することにより、左右調整ブロック２６および前後調整ブロック３４を調整移動できる。軸受ハウジング１４は、前後に分割した前ハウジング１４ａと後ハウジング１４ｂとで構成する。前ハウジング１４ａと後ハウジング１４ｂの接合面の間に、左右調整ブロック２６と前後調整ブロック３４を収容する調整室１７を設ける。左右調整ブロック２６と前後調整ブロック３４とは、調整室１７の内部に上下に隣接する状態で配置し、それぞれの軸受穴２９・３６をピボット軸１１に嵌合する。
【０００９】
戸パネル２の装着凹部２０にホルダー２１を固定する（図５参照）。軸受ハウジング１４をホルダー２１に係合連結して、軸受ユニット１２を戸パネル２と一体化する。
【００１１】
左右調整構造のねじ構造は、左右調整体２８に設けたねじ軸３３と、左右調整ブロック２６に組み付けた雌ねじ体２７とで構成する。前後調整構造のカム構造は、前後調整体３５に設けた偏心ピン４４と、前後調整ブロック３４に設けた上下方向の長穴からなる受動穴３７とで構成する。
【００１２】
折り畳み自在に連結した複数個の戸パネル１・２を、ランナー６と上ピボット軸７１とで吊持する。戸パネル２の上隅に、上ピボット軸７１で軸支される軸受ユニット７２を埋設する。軸受ユニット７２に、上ピボット軸７１に対する戸パネル２の上下位置を調整する高さ調整構造を設ける。
【００１３】
ホルダー２１と軸受ハウジング１４との間に、ホルダー２１に連結した軸受ハウジング１４を分離不能にロック固定するロック構造を設ける。図９に示すように、ロック構造は、軸受ハウジング１４に揺動可能に軸支したロックレバー５２と、ロックレバー５２をロック付勢するロックばね５４と、ホルダー２１の前後壁に設けたロック溝５５を含む。軸受ハウジング１４をホルダー２１に係合連結した状態においては、ロックレバー５２のロック爪５８がロック溝５５に落ち込み係合して、軸受ハウジング１４をロック固定する。
【００１４】
軸受ハウジング１４の内部に、前後調整体３５用のクリック構造を設ける。クリック構造は、前後調整体３５に設けた断面が正多角形状のクリック軸４２と、クリック軸４２の辺部を受け止めるばね体４７とで構成する。
【発明の効果】
【００１５】
本発明においては、戸パネル２に埋設される軸受ユニット１２を、左右調整構造と、前後調整構造と、これらの調整構造を収容する軸受ハウジング１４などで構成した。また、回転操作される左右調整体２８を操作源にして、左右調整ブロック２６をねじ構造を介して左右へ調整操作できるようにした。同様に、回転操作される前後調整体３５を操作源にして、前後調整ブロック３４をカム構造を介して前後へ調整操作できるようにした。
【００１６】
以上のように、本発明のピボットヒンジにおいては、左右調整体２８および前後調整体３５の回転操作量に応じて、戸パネル２をピボット軸１１に対して左右調整し、あるいは前後調整し、必要に応じて微量調整することができる。したがって、本発明によれば、戸パネル２の左右調整および前後調整を簡便にしかも正確に行なうことが可能となり、これに伴ない、揺動中心位置を常に適正に調整して戸パネル２を軽快に開閉できる。さらに、揺動中心位置の調整不良に伴なう偏荷重を解消して、ヒンジ軸１１の摩耗や異音の発生を解消できる。また、左右調整構造および前後調整構造を備えた軸受ユニット１２を戸パネル２に埋設するので、バリアフリーに適合でき、しかも外観上の体裁を向上できるピボットヒンジを提供できる。さらに、軸受ユニットを床面に固定する従来のピボットヒンジに比べて、戸パネル２と床面の隙間を小さくして、隙間から音や光が漏れるのを抑止できる利点もある。
【００１７】
軸受ハウジング１４をホルダー２１に係合連結して、軸受ユニット１２を戸パネル２と一体化すると、軸受ユニット１２の戸パネル２に対する着脱を、より少ない手間で迅速に行なえる。したがって、折戸、揺動ドア、あるいは折り畳みドアなどの施工やメンテナンスを、より少ない手間で迅速に行なうことができ、しかも吊り込んだ状態のままで、戸パネル２の左右調整および前後調整を的確に行なえる。なお、ホルダー２１に係合連結した軸受ユニット１２は、後述するロック構造で分離不能にロック固定でき、あるいは軸受ユニット１２の外方からホルダー２１にねじ込まれるビスで締結固定することができる。いずれの場合にも、ロック構造をロック解除操作し、あるいは、ビスを取り外すだけでの簡単な操作で、軸受ユニット１２を着脱できる。
【００１８】
前後に分割した前後一対のハウジング１４ａ・１４ｂで軸受ハウジング１４を構成し、両者の接合面の間に設けた調整室１７の上下に左右調整ブロック２６と前後調整ブロック３４を上下に隣接する状態で配置すると、軸受ユニット１２の前後幅を小さくできる。また、左右調整ブロック２６と前後調整ブロック３４の軸受穴２９・３６をピボット軸１１に嵌合し、ピボット軸１１を調整基準にして戸パネル２の位置調整を行なうので、最小限の調整隙間を確保するだけで、的確に左右および前後の調整を行なえる。これにより、左右調整と前後調整を行なえる軸受ユニット１２を小形しコンパクト化でき、したがって、戸パネル２の前後厚みが小さい場合であっても軸受ユニット１２を問題なく適用して、本発明に係るピボットヒンジの適用範囲を拡大できる。また、前後一対のハウジング１４ａ・１４ｂの一方に、左右調整構造、前後調整構造、ばね受片５３、ロックばね５４などを組み付けたのち、他方を被せ付けて一体化できるので、軸受ユニット１２の組み立てに要する手間を省くことができる利点もある。
【００１９】
左右調整体２８に設けたねじ軸３３と、左右調整ブロック２６に組み付けた雌ねじ体２７とでねじ構造を構成すると、左右調整構造の構造を簡素化できる。また、前後調整体３５に設けた偏心ピン４４と、前後調整ブロック３４に設けた受動穴３７とでカム構造を構成すると、前後調整構造の構造を簡素化でき、全体として、軸受ユニット１２の全体構造が複雑になるのを解消し、小形とコンパクト化をさらに推進できる。
【００２０】
戸パネル２の上隅に軸受ユニット７２を埋設し、その内部に戸パネル２の上下位置を調整する高さ調整構造を設けると、左右調整と前後調整に加えて、戸パネル２の上下調整をも適正に行なうことができる。したがって、施工時の戸パネル２を最適の状態に位置調整できるのはもちろん、戸パネル２に撓みやそりなどの変形が生じた場合でも、各調整構造を調整して戸パネル２の動作干渉や動作不良を修正でき、折戸や揺動ドアなどの開閉動作を適正化できる。
【００２１】
ホルダー２１と軸受ハウジング１４との間にロック構造を設け、両者２１・１４を係合連結するとき、ロック爪５８がロック溝５５に落ち込み係合して、軸受ユニット１２を分離不能にロック固定できるようにすると、戸パネル２の吊り込みをより簡便に行なえる。戸パネル２を吊り込む過程で、ロックレバー５２を手動でロック姿勢に切り換える必要がないからである。また、戸パネル２を取り外す場合には、ロックレバー５２をロックばね５４の付勢力に抗して、ロック解除姿勢に切り換えることで、軸受ユニット１２を戸パネル２から分離できる。これにより、全体として折戸や揺動ドアあるいは折り畳みドアなどの施工やメンテナンスを、さらに少ない手間で迅速に行なうことができる。
【００２２】
軸受ハウジング１４の内部にクリック構造を設けると、前後調整体３５を適量ずつ回転させることができ、さらに、前後調整体３５の調整位置を位置保持できるので、外力を受けた前後調整体３５が回転して戸パネル２の調整位置が変化するのを確実に防止できる。また、正多角形状のクリック軸４２と、クリック軸４２の辺部を受け止めるばね体４７とでクリック構造を構成することにより、クリック軸４２を位置保持するばね構造を簡素化して、クリック構造を備えた前後調整構造の製造コストを節約できる。
【図面の簡単な説明】
【００２３】
【図１】本発明に係るピボットヒンジの縦断正面図である。
【図２】開放途中状態の折り畳みドアを示す正面図である。
【図３】上下のピボット構造を示す側面図である。
【図４】軸受ユニットの分解斜視図である。
【図５】戸パネルと軸受ユニットを分離した状態の正面図である。
【図６】図１におけるＡ−Ａ線断面図である。
【図７】図１におけるＢ−Ｂ線断面図である。
【図８】図１におけるＣ−Ｃ線断面図である。
【図９】軸受ユニットのロック構造を示す縦断正面図である。
【図１０】軸受ハウジングの別の実施例を示す展開図である。
【発明を実施するための形態】
【００２４】
（実施例）  図１ないし図９は本発明に係るピボットヒンジを折り畳みドアに適用した実施例を示す。本発明における前後、左右、上下とは、図２および図３に示す交差矢印と、各矢印の近傍に表示した前後、左右、上下の文字表示に従うこととする。
【００２５】
図２において折り畳みドアは、左右幅が大きな第１戸パネル（戸パネル）１と、左右幅が小さな第２戸パネル（戸パネル）２とを、２軸ヒンジ構造のヒンジ３を介して折り畳み開閉自在に連結してなる。門形の開口枠４の上部にはガイドレール５が固定してあり、このガイドレール５でランナー６を移行案内し、ランナー６で戸先側の第１戸パネル１を吊持している。ランナー６は、第１戸パネル１の上端面の左右中央に装着してあり、第１戸パネル１の折り畳み開閉動作に同行して、ガイドレール５内を左右に移動できる。第２戸パネル２はピボットヒンジで支持されており、ピボットヒンジは、第２戸パネル２の上部を吊持する上ピボット構造と、第２戸パネル２の下部を支持する下ピボット構造（ピボット構造）とで構成してある。符号７は第１戸パネル１に設けたハンドルである。
【００２６】
図３および図５に示すように、下ピボット構造は、ブラケット１０を介して開口枠４に固定される下ピボット軸（ピボット軸）１１と、第２戸パネル２に埋設されて下ピボット軸１１で支持される軸受ユニット１２とからなる。下ピボット軸１１は、Ｌ字状のブラケット１０の横腕の上面に固定されて垂直に起立しており、上半部に他の軸部分より小径の調整軸１３が形成してある。ブラケット１０は、その横腕が床面から僅かに浮き離れる状態で、縦腕を開口枠４にビスで締結固定している（図１参照）。
【００２７】
軸受ユニット１２は、下ピボット軸１１に対して第２戸パネル２の左右位置を調整する左右調整構造と、下ピボット軸１１に対して第２戸パネル２の前後位置を調整する前後調整構造と、これらの調整構造を収容する軸受ハウジング１４などで構成する。図４に示すように、軸受ハウジング１４は、前後に分割した前ハウジング１４ａと後ハウジング１４ｂとで構成する。両ハウジング１４ａ・１４ｂは、分割面を対称中心にして前後対称に形成してあり、その前後面には係合溝１５が凹み形成され、係合溝１５の上側に隣接して係合リブ１６が形成してある。軸受ハウジング１４の内部には、後述する左右調整ブロック２６および前後調整ブロック３４を収容する調整室１７が設けられ、その下側に連続して下ピボット軸１１の軸基部を収容する軸収容室１８が設けてある。
【００２８】
図５に示すように、軸受ユニット１２を連結するために、第２戸パネル２の下隅に、下面および側面が開口する装着凹部２０が形成され、その内部に軸受ハウジング１４を装填するためのホルダー２１が固定してある。ホルダー２１はダイキャスト成形品からなり、前後壁の内面に先の係合溝１５と係合するガイドリブ２２と、係合リブ１６と係合する係合溝２３とが形成してある。ホルダー２１と軸受ハウジング１４を連結すると、係合溝１５とガイドリブ２２、および係合リブ１６と係合溝２３が互いに係合するので、軸受ユニット１２を第２戸パネル２に対して強固に連結できる、さらに、第２戸パネル２を下ピボット軸１１で軸受ユニット１２を介して支持することができる。
【００２９】
図４において、左右調整構造は、左右調整ブロック２６と、左右調整ブロック２６をねじ構造を介して左右へ移動操作する左右調整体２８とからなる。左右調整体２８は、なべ小ねじ状のビスからなり、そのねじ軸３３と、左右調整ブロック２６に組み付けた金属製の雌ねじ体２７とで先のねじ構造を構成している。左右調整体２８の操作頭部３２には、抜け止め用の鍔が一体に張り出してある。左右調整体２８を軸受ハウジング１４に組み付けた状態では、ねじ軸３３が雌ねじ体２７のねじ穴にねじ込まれる。
【００３０】
左右調整ブロック２６は直方体状のダイキャスト成形品からなり、下ピボット軸１１の調整軸１３と嵌合する軸受穴２９と、雌ねじ体２７用の装着溝３０と、左右調整体２８用の挿通穴３１とが形成してある。軸受穴２９は前後方向の長穴からなり、左右調整ブロック２６の上面から下面へわたって上下貫通状に形成してあって、前後方向へのみ相対移動できる状態で調整軸１３と嵌合している。図６および図８に示すように、左右調整ブロック２６の前後面は調整室１７の前後壁で受け止められている。したがって、左右調整体２８を回転操作することにより、左右調整ブロック２６と左右調整体２８とが相対的に左右移動して、左右調整ブロック２６を中立位置（図６に示す状態）から、符号Ｓ１で示す領域内で左右へ調整移動できる。実際には、下ピボット軸１１が固定されているので、左右調整ブロック２６や軸受ハウジング１４の側が前後移動する。
【００３１】
前後調整構造は、前後調整ブロック３４と、前後調整ブロック３４をカム構造を介して前後へ移動操作する前後調整体３５とで構成する。前後調整ブロック３４は、左右調整ブロック２６に比べて前後幅が小さな直方体状のダイキャスト成形品からなり、その上面から下面にわたって丸穴状の軸受穴３６が上下貫通状に形成してある。軸受穴３６は下ピボット軸１１の調整軸１３と嵌合する。
【００３２】
前後調整ブロック３４の右側面には、上下方向の長穴からなる受動穴３７が形成してあり、左側面の下部にはスライド座３８が張り出してある。先のカム構造は、受動穴３７と前後調整体３５に設けた偏心ピン４４とで構成する。図７に示すように、前後調整ブロック３４は、軸収容室１８の上開口を左右に跨ぐ状態で調整室１７に収容してあり、その上面に左右調整ブロック２６が配置してある（図１参照）。調整室１７の底面には、スライド座３８を受け入れる逃げ溝３９が形成してあり、この逃げ溝３９は軸受ハウジング１４の前後面で開口している。
【００３３】
前後調整体３５は、十字溝を備えた円形の操作頭部４１と、断面が正八角形のクリック軸４２と、フランジ部４３と、偏心ピン４４を一体に備えたプラスチック成形品からなる。左右調整体２８と前後調整体３５は、軸受ハウジング１４で回転自在に支持されており、それぞれの操作頭部３２・４１が、前後ハウジング１４ａ・１４ｂに設けた上下の操作窓４５・４６を介して軸受ハウジング１４の外面に露出させてある。
【００３４】
前後調整体３５を軸受ハウジング１４に組み付けた状態では、偏心ピン４４が受動穴３７と係合している。したがって、操作頭部４１を回転操作すると、前後調整ブロック３４と前後調整体３５は相対的に前後移動して、前後調整ブロック３４を中立位置（図７および図８に示す状態）から、符号Ｓ２で示す領域内を前後へ調整移動できる。前後調整体３５を回転すると、偏心ピン４４の回動動作を動穴３７で前後動作に変換して、前後調整ブロック３４を前後に調整移動できるが、実際には、下ピボット軸１１が固定されているので、軸受ハウジング１４の側が前後移動する。
【００３５】
前後調整体３５を適量ずつ回転させ、さらに調整位置を位置保持するために、前後調整体３５と前後ハウジング１４ａ・１４ｂとの間にクリック構造を設けている。クリック構造は、前後調整体３５に設けたクリック軸４２と、クリック軸４２の前後の対向辺部を受け止めるばね壁（ばね体）４７で構成する。図７に示すように、ばね壁４７は前後ハウジング１４ａ・１４ｂと一体に形成するが、その左右両側がスリット４８で他の壁から分断してあるので厚み方向へ弾性変形できる。前後調整体３５を回転操作するとき、クリック軸４２の各頂部は、ばね壁４７を外膨らみ状に弾性変形させながら、一対のばね壁４７の間を通過でき、前後調整体３５を４５度回転操作するごとに、クリック軸４２の対向辺部をばね壁４７で受け止めて位置保持できる。
【００３６】
ホルダー２１に連結した軸受ハウジング１４を分離不能にロックするために、両者１４・２１の間にロック構造を設けている。図４および図５において、ロック構造は、ロックレバー５２と、ロックレバー５２をばね受片５３を介して上向きにロック付勢するロックばね５４と、ホルダー２１の前後壁に設けたロック溝５５およびロックガイド５６などで構成する。
【００３７】
ロックレバー５２は、前後一対のアーム５７を一体に備えており、各アーム５７の遊端の前後面にロック溝５５と係合するロック爪５８が一体に設けてある。アーム５７の他端には、ロックレバー５２をロックばね５４の付勢力に抗してロック解除操作するための指掛け部５９が設けてある。ロックレバー５２の隅部分は、軸受ハウジング１４を前後に貫通するピン５１で揺動可能に支持してある。ばね受片５３は、前後ハウジング１４ａ・１４ｂに設けたガイド溝６１で上下スライドのみ可能に案内してあり、組み付け状態において、その前後端がアーム５７で受け止められる（図９参照）。
【００３８】
ホルダー２１と軸受ハウジング１４を連結するときは、ロック爪５８がロックガイド５６でロックばね５４の付勢力に抗しながら押し下げられたのち、図９に示すようにロック溝５５に落ち込み係合する。つまり、下ピボット軸１１に組み付けた軸受ハウジング１４に対してホルダー２１を差し込み装填すると、軸受ハウジング１４をロック構造で自動的にロック保持できる。この連結状態では、係合溝１５とガイドリブ２２、および係合リブ１６と係合溝２３が互いに係合している。軸受ユニット１２をホルダー２１から取り外す場合には、図９に想像線で示すように指掛け部５９に指先を掛けてロックレバー５２をロック解除姿勢にし、この状態で第２戸パネル２を下ピボット軸１１から遠ざかる方向へ分離操作する。
【００３９】
軸受ハウジング１４は、前後ハウジング１４ａ・１４ｂのいずれか一方に左右調整構造、前後調整構造、ばね受片５３、ロックばね５４などを組み付けたのち、他方を被せ付けて一体化する。この状態で、ロックレバー５２を組み付けてピン５１で軸支し、さらに横臥Ｌ字状の連結金具６２を両ハウジング１４ａ・１４ｂの上部に差し込み係合することにより、両ハウジング１４ａ・１４ｂを分離不能に固定する。連結金具６２の両端の前後には係合爪６３が形成してあり（図４参照）、これらの係合爪６３は前後ハウジング１４ａ・１４ｂの上部および側面に設けた係合溝６４に圧嵌される。以上のように、分割された前後ハウジング１４ａ・１４ｂは、両ハウジング１４ａ・１４ｂを前後に挟持する連結金具６２と、ロックレバー５２で分離不能に挟持固定される。
【００４０】
図３および図５に示すように、上ピボット構造は、ガイドレール５の側端寄りに配置した上ピボット軸７１と、第２戸パネル２の上隅に埋設される上側の軸受ユニット７２とで構成する。上ピボット軸７１はガイドレール５に装填したベースブロック７３に軸支されて、ベースブロック７３の下方へ突出しており、その下部の細径軸部の下端に高さ調整用の吊持部７４がフランジ状に形成してある。ベースブロック７３はプラスチック成形品からなり、クランク状に折り曲げた取付金具７５を介してガイドレール５に固定してある。符号７６は上ピボット軸７１用の抜け止めピンである。
【００４１】
上側の軸受ユニット７２は、軸受ハウジング７８と、その内部に配置した高さ調整構造とで構成する。軸受ハウジング７８は、図３に示すように前後に分割した前ハウジング７８ａと後ハウジング７８ｂとで構成されており、図５に示すように、その前後面には係合溝７９が凹み形成され、係合溝７９の下側に隣接して係合リブ８０が形成してある。第２戸パネル２の上隅には、上面および側面が開口する装着凹部８１が形成され、その内部に先に説明したホルダー２１が固定してある。ホルダー２１側のガイドリブ２２と係合溝７９とが係合し、係合溝２３と係合リブ８０とが係合する状態で、ホルダー２１と軸受ハウジング７８を連結することにより、第２戸パネル２を軸受ユニット７２を介して上ピボット軸７１で吊持することができる。
【００４２】
高さ調整構造は、軸受ハウジング７８を前後に貫通するピン８４で揺動可能に支持される調整レバー８５と、調整レバー８５を調整操作する高さ調整ねじ８６などで構成する。調整レバー８５は、前後一対の逆Ｌ字状の腕壁を備えており、両腕壁で傾動可能に支持した板ナット８７に先の高さ調整ねじ８６がねじ込んである。図３に示すように、高さ調整ねじ８６の操作頭部は、軸受ハウジング７８の側端面に露出させてあり、この操作頭部を回転操作することにより、調整レバー８５を揺動させて、その動作を操作腕部８８を介して吊持部７４へ出力できる。実際には、上ピボット軸７１はベースブロック７３に対して上下動不能に固定してあるので、高さ調整ねじ８６を調整操作すると、第２戸パネル２が上ピボット軸７１に対して上下動する。
【００４３】
ホルダー２１に連結した軸受ハウジング７８を分離不能にロックするために、両者２１・７８の間にロック構造を設けている。ロック構造は、軸受ハウジング７８を前後に貫通するピン９１で揺動可能に支持されるロックレバー９２と、ロックレバー９２をばね受片９３を介してロック付勢するロックばね９４と、ホルダー２１の前後壁に設けたロック溝５５およびロックガイド５６などで構成する。ロックレバー９２の前後のアーム９７にはロック爪９８が設けてある。ロック構造を構成するピン９１、ロックレバー９２、ばね受片９３、およびロックばね９４は、先に説明した下ピボット構造のロック構造を構成するピン５１、ロックレバー５２、ばね受片５３、およびロックばね５４と同じ部品であり、各部品の動作や機能は同じであるので、その説明を省略する。
【００４４】
ホルダー２１と軸受ハウジング７８を連結するときは、ロックばね９４の付勢力に抗しながら、ロック爪９８がロックガイド５６で押し上げられたのち、ロック溝５５に落ち込み係合する。つまり、上ピボット軸７１に組み付けた軸受ハウジング７８に対してホルダー２１を差し込み装填すると、軸受ハウジング７８をロック構造で自動的にロック保持できる。この連結状態では、係合溝７９とガイドリブ２２、および係合リブ８０と係合溝２３が互いに係合している。
【００４５】
次に、第２戸パネル２の吊り込み手順を説明する。第２戸パネル２を吊り込むまでに、第２戸パネル２の上下の装着凹部２０・８１にホルダー２１を予め固定しておく。また、図５に示すように、下ピボット構造の軸受ユニット１２は下ピボット軸１１に仮組みしておき、上ピボット構造の軸受ユニット７２は上ピボット軸７１に仮組みしておく。この状態で、第２戸パネル２を吊元側へ移動して上下の軸受ユニット１２・７２に対して、上下のホルダー２１の側面開口を正対させ、さらにガイドリブ２２の側端を係合溝１５・７９に仮係合する。
【００４６】
次に、上下の軸受ユニット１２・７２を回動不能に保持した状態で第２戸パネル２を吊元側へ押し込み、軸受ユニット１２・７２をホルダー２１内へ嵌め込む。軸受ユニット１２・７２がホルダー２１内に完全に入り込むのと同時にロック構造がロック状態に切り換わって、両軸受ユニット１２・７２の抜け外れを規制する。最後に第１戸パネル１とランナー６とを連結して、折り畳みドアの吊り込みを完了する。このときの折り畳みドアの全体重量は、ランナー６と上ピボット軸７１とが受け止めている。
【００４７】
第２戸パネル２の左右位置および前後位置を調整する場合には、第２戸パネル２の側端面にドライバーをあてがうことが可能な程度にまで、第１戸パネル１を開放する。この状態で左右調整体２８あるいは前後調整体３５をドライバーで回転操作することにより、下ピボット軸１１に対する第２戸パネル２の開閉回動中心を速やかに調整することができる。
【００４８】
具体的には、左右調整体２８を回転操作すると、左右調整ブロック２６と軸受ハウジング１４との左右方向の相対位置が変化し、この位置調整分だけ第２戸パネル２を下ピボット軸１１に対して調整移動できる。同様に、前後調整体３５を回転操作すると、前後調整ブロック３４と軸受ハウジング１４との前後方向の相対位置が変化し、この位置調整分だけ第２戸パネル２が下ピボット軸１１に対して調整移動できる。いずれの場合にも、上ピボット軸７１を調整基準にして、第２戸パネル２の開閉回動中心を調整することになる。また、上側の軸受ユニット７２に設けた高さ調整ねじ８６を回転操作することにより、第２戸パネル２の上下高さを調整できることは、既に述べたとおりである。
【００４９】
図１０は、軸受ハウジング１４の別の実施例を示す。そこでは、前ハウジング１４ａと後ハウジング１４ｂを、ポリプロピレンを成形素材にして一体に形成する。そのために、前後ハウジング１４ａ・１４ｂの隣接縁の上下と中央部を、３個の一体成形ヒンジ１０１で接続するようにした。また、前ハウジング１４ａの接合面の周囲４個所に連結ピン１０２を一体に形成し、後ハウジング１４ｂの接合面の周囲４個所に、連結ピン１０２に対応する連結穴１０３を形成した。
【００５０】
組み立ての過程では、前後ハウジング１４ａ・１４ｂのいずれか一方に左右調整構造、前後調整構造、ばね受片５３、ロックばね５４などを組み付けたのち、一体成形ヒンジ１０１を折り曲げて他方のハウジングを被せ付ける。このとき、連結ピン１０２を連結穴１０３に圧嵌係合することにより、組み立て状態を維持し続けることができ、したがって連結金具６２は省略できる。他は先に説明した軸受ハウジング１４と同じであるので、同じ部材に同じ符号を付してその説明を省略する。
【００５１】
上記の実施例では、ドア荷重をランナー６と上ピボット軸７１で吊持する場合について説明したが、ドア荷重は下ピボット軸で支持することができる。その場合には、左右調整構造と前後調整構造を備えたピボット構造で戸パネルの上側を支持して、下ピボット軸を基準にして左右調整と前後調整を行なえばよい。下ピボット軸１１は開口枠４と床面のいずれにも固定してあってもよい。上側の軸受ユニット７２は、高さ調整構造を備えている必要はなく、その場合には、上ピボット軸７１を軸受ハウジング７８で上下スライド可能に支持して、ばねで押し上げ付勢することができ、上ピボット軸７１の上端を開口枠４やガイドレール５に固定したピボット軸受で軸支する。
【００５２】
左右調整体２８は、ビスやボルトで構成する必要はない。たとえば、操作頭部３２を備えた左右調整体２８で、左右調整体２８とは別の部品からなるねじ軸３３を回転操作する構造であってもよい。前後調整体３５の回転動作を前後動作に変換するカム構造は、偏心ピン４４と受動穴３７との組み合わせである必要はなく、たとえば、斜めのカム溝と、カム溝で前後操作されるピンとの組み合わせであってもよい。その場合には、カム溝を備えたカム板をビスやボルトで構成した前後調整体３５で左右操作して、ピンとカム板を相対的に前後移動させるとよい。左右調整ブロック２６はプラスチック成形品で構成することができる。
【００５３】
クリック軸４２は、断面八角形である必要はなく、多角形であればよい。クリック軸４２を受け止めるばね体４７は板ばねで形成することができる。また、ばね体４７はクリック軸４２の少なくともひとつの辺部を受け止めるものであれば足りる。軸受ハウジング１４をホルダー２１に係合連結して、軸受ユニット１２を戸パネル２と一体化する場合には、ホルダー２１にねじ込んだ１個のビスで軸受ユニット１２を分離不能に固定することができ、その場合には、ロック構造を省略することができる。
【符号の説明】
【００５４】
２  戸パネル（第２戸パネル）
１０  ブラケット
１１  ピボット軸（下ピボット軸）
１２  軸受ユニット
１４  軸受ハウジング
１４ａ  前ハウジング
１４ｂ  後ハウジング
１７  調整室
２１  ホルダー
２６  左右調整ブロック
２７  雌ねじ体
２８  左右調整体
２９  左右調整ブロックの軸受穴
３３  左右調整体のねじ軸
３４  前後調整ブロック
３５  前後調整体
３６  前後調整ブロックの軸受穴
３７  受動穴
４２  クリック軸
４４  偏心ピン
４７  ばね体（ばね壁）
５２  ロックレバー
５４  ロックばね
５５  ロック溝
５８  ロック爪
【図１】
0005642449.tif 000002
【図２】
0005642449.tif 000003
【図３】
0005642449.tif 000004
【図４】
0005642449.tif 000005
【図５】
0005642449.tif 000006
【図６】
0005642449.tif 000007
【図７】
0005642449.tif 000008
【図８】
0005642449.tif 000009
【図９】
0005642449.tif 000010
【図１０】
0005642449.tif 000011